(57)【特許請求の範囲】
【請求項１】
壁紙糊付機本体に着脱可能に構成され、シート状の壁装材を搬送しながら搬送方向に沿って壁装材の側縁部を裁断する壁紙裁断装置において、
前記壁紙糊付機の壁装材入口側に着脱自在に装着する装着手段を備えた壁紙裁断装置本体と、
該壁紙裁断装置本体に着脱可能に装着される、前記搬送される壁装材の表面側、裏面側のいずれに位置してこれを裁断する円板形状の回転刃と前記回転刃を回動するシャフトとを、前記回転刃の刃部周囲を囲む防護壁を有するハウジング内に収納した回転刃ユニットと、
前記回転刃ユニットのシャフトと連結される回転軸を備え、回転刃ユニットと着脱可能に一体化されたモータユニットと、
前記一体化されたモータユニットと回転刃ユニットとの回転刃を壁装材幅方向の予め定められた位置に位置決めする位置決め手段とを備え、
前記回転刃ユニットのハウジングには、回転刃によって切断された壁装材側縁部の切断面に当接しながら糊付機本体部内へ引き入れられる壁装材本体から離れる外側外方へ誘導するガイド片と、このガイド片に連設して壁装材側縁部の上下面を覆って外部へ排出するスリットとを備えるガイド手段を備えたことを特徴とする壁紙裁断装置。
【発明の詳細な説明】
【０００１】
【発明の属する技術分野】
本発明は、室内壁面等に貼付されるシート状壁装材の裏面に連続的に糊を塗布する自動壁紙糊付機本体に着脱可能に装着される壁紙側縁を裁断する壁紙裁断装置に関するものである。
【０００２】
【従来の技術】
現在、建築物の内装施工における壁装材の室内壁面への貼付は、現場で専用の壁紙糊付機を用いてシート状の壁装材に連続的に糊を塗布しながら行うのが一般的となっている。
【０００３】
このような壁紙糊付機の一般的な構成としては、内部に複数のロールが配置された上部構体及び下部構体から主に構成される糊付機本体を支持脚部上に載置し、上下構体の間に挟挟み込んだシート状壁装材（以下、クロスと記す）をロールで搬送しながら糊付けローラで糊桶から糊を壁装材裏面に転写していくものである。
【０００４】
例えば、手動式糊付機では、シート状壁装材を引き出す際に、シート状壁装材の引出し力によって、ギアを介して糊付ロールが回動し、壁装材裏面に糊桶内の糊を転写する。また、最近では、自動式の糊付機も普及している。この自動式では、糊付けロールの回転軸端にモータ等の駆動機構の回転軸を連結し、糊付けロールを電動で回転させることによって、他のロールをギアを介して連動させ、これらロールの回転で自動的にクロスを搬送させている。
【０００５】
ところで、このような手動式及び自動式の糊付機では、従来から、壁紙糊付機の後方から引き入れられた長尺シート状の壁装材の裏面に糊を塗布して前方から引き出すに先立って、壁紙糊付機の本体部にフック等で取り付けられた壁紙裁断装置により、壁装材の側縁部をその搬送方向に沿って予め剪断し、所望の壁装材幅に調整していた。
【０００６】
従来の一般的な壁紙糊付機用の壁紙裁断装置は、壁装材の搬送方向に対して直交方向に沿って平行に設けられた上下シャフトの対向位置に、上下一対の互いに向き合った片刃状の回転刃を構成するオーバーカッター（上刃）とアンダーカッター（下刃）とがそれぞれ軸支されており、駆動モータによりこの一対のカッターを互いに逆回転させて壁装材を上下から挟んで剪断していた。
【０００７】
或いは、両刃の単独回転刃をシャフトに軸支し、搬送される壁装材に片面側から刃先を押しつけた状態で、駆動モータにより回転刃を回転駆動させて壁装材を剪断していた。
【０００８】
【発明が解決しようとする課題】
しかしながら、このような従来の壁紙裁断装置では、作業者が作業中及び回転刃の交換中に外部から回転刃に手を触れることもでき、安全性に欠けるという問題があった。また、裁断された壁装材の側縁部が壁装材本体と共に糊付機に搬送されて壁紙糊付機の誤動作、破損を招く問題もあった。
【０００９】
本発明は、安全性に優れ、壁紙糊付機の誤動作、破損を防止することのできる壁紙裁断装置を得ること、更には、回転刃の交換作業が簡易である壁紙裁断装置を得ることを目的とする。
【００１０】
【課題を解決するための手段】
請求項１に記載された発明に係る壁紙裁断装置は、壁紙糊付機本体に着脱可能に構成され、シート状の壁装材を搬送しながら搬送方向に沿って壁装材の側縁部を裁断する壁紙裁断装置において、
前記壁紙糊付機の壁装材入口側に着脱自在に装着する装着手段を備えた壁紙裁断装置本体と、
該壁紙裁断装置本体に着脱可能に装着される、前記搬送される壁装材の表面側、裏面側のいずれに位置してこれを裁断する円板形状の回転刃と前記回転刃を回動するシャフトとを、前記回転刃の刃部周囲を囲む防護壁を有するハウジング内に収納した回転刃ユニットと、
前記回転刃ユニットのシャフトと連結される回転軸を備え、回転刃ユニットと着脱可能に一体化されたモータユニットと、
前記一体化されたモータユニットと回転刃ユニットとの回転刃を壁装材幅方向の予め定められた位置に位置決めする位置決め手段とを備え、
前記回転刃ユニットのハウジングには、回転刃によって切断された壁装材側縁部の切断面に当接しながら糊付機本体部内へ引き入れられる壁装材本体から離れる外側外方へ誘導するガイド片と、このガイド片に連設して壁装材側縁部の上下面を覆って外部へ排出するスリットとを備えるガイド手段を備えたことを特徴とするものである。
【００１２】
【発明の実施の形態】
本発明は、シート状の壁装材を搬送しながら搬送方向に沿って壁装材の側縁部を回転刃で、前記壁紙糊付機に搬送される壁装材本体と、壁装材側縁部とに裁断する。
【００１３】
本発明においては、搬送される壁装材を裁断する回転刃と前記回転刃を回動するシャフトとを、前記回転刃の刃部周囲を囲む防護壁を有するハウジング内に収納した回転刃ユニットを備える。
【００１４】
即ち、本発明では、回転刃と、シャフトとは回転刃ユニットのハウジング内に収納されており、このハウジングは回転刃の刃部周囲を囲む防護壁を有しているため、作業者は作業中に外部から回転刃に手を触れることはできない。このため、回転刃に接触して怪我をする危険性もなく安全性を図ることが可能となる。
【００１５】
また、前記回転刃ユニットのハウジングには、回転刃によって切断された壁装材側縁部を、糊付機本体部内へ引き入れられる壁装材本体の外側外方へ誘導するガイド手段を備える。これにより、裁断された壁装材の側縁部が糊付機本体内部へ導入される壁装材本体と絡まって糊付機本体内部へ導入されることが回避されるので、糊付機の破損を防止することができる。
【００１６】
切断された壁装材側縁部のガイド手段としては、糊付機本体部内へ引き入れられる壁装材本体の外側外方へ誘導するものであればよい。例えば、回転刃によって裁断された壁装材側縁部の切断面に当接しながら壁装材本体から離れる外方向に誘導するガイド片を回転刃に続く搬送方向に沿って設置すればよい。また、壁装材側縁部が搬送方向の上下へ撓んで逃げることを防ぐために、ガイド片に連設して上下面を覆う構造又は枠状の構造としても良い。
【００１７】
なお、回転刃ユニットのシャフトを回動させる回転駆動手段としては、回転刃を軸止するシャフトの支軸に小型モータの出力回転軸を連結する構成が簡便なものとして挙げられる。あるいは、糊付機本体が電動モータで駆動する場合には、その動力を使用することもできる。
【００１８】
回転刃の回転方向は、壁装材の搬送方向に対して逆向きでも良いが、この場合、壁装材の抵抗摩擦が大きいと比較的低速の回転では真っ直ぐな裁断を維持することが難しくなる。特に、手動糊付機の場合、搬送速度が常に一定とは限らない場合には蛇行が生じやすくなるため、壁装材の搬送方向と刃の回転方向とを一致させることが好ましい。
【００１９】
なお、回転刃は、壁装材の上側（表面側）、下側（裏面側）のいずれに位置するものでも良い。ただし、例えば塩化ビニール製の壁装材では、刃の回転摩擦熱で比較的溶けやすく、切断部が平滑にならず荒れてしまう場合がある。このような切断荒れは主に回転刃の当接側に現れるため、表面側から切断するとその荒れた部分が後で壁紙を壁面に張り付けた際に露出して目立ってしまうことから、壁装材の裏面から、即ち下側から裁断することがより好ましい。
【００２０】
また、回転刃の回転速度が速いほど壁装材は切断しやすくなるため、対象となる壁装材の厚みや硬度に応じて回転速度を速くするなど、回転駆動手段による回転刃の回転を任意の速度に変更できる速度調節機構を設けることが望ましい。
【００２１】
なお、本発明における壁紙糊付機は、いわゆる手動のものでも電動モータなどの駆動力を利用する自動のものでも良い。
【００２２】
本発明の好ましい態様としては、前記壁紙糊付機の壁装材入口側に着脱自在に装着する装着手段を備えた壁紙裁断装置本体と、
該壁紙裁断装置本体に着脱可能に装着される、前記搬送される壁装材を裁断する回転刃と前記回転刃を回動するシャフトとを、前記回転刃の刃部周囲を囲む防護壁を有するハウジング内に収納した回転刃ユニットと、
前記回転刃ユニットのシャフトを回動させる回転駆動手段と、
前記回転刃ユニットの回転刃を壁装材幅方向の予め定められた位置に位置決めする位置決め手段とを備え、前記回転刃ユニットのハウジングには、回転刃によって切断された壁装材側縁部を、糊付機本体部内へ引き入れられる壁装材本体とは離反する別経路へ導出するガイド手段を備える。
【００２３】
即ち、回転刃ユニットは壁紙裁断装置本体に着脱可能に装着される。このため、作業者は回転刃に触れることなくユニットごと回転駆動手段から取り外して回転刃を交換することができる。このため、回転刃を直接回転駆動手段の回転軸から取り外さなければならない従来の装置に比較して、回転刃の交換作業が簡易なものとなる。
【００２４】
本発明の回転刃ユニットは、回転駆動手段と着脱可能であり、回転刃の刃部周囲を囲む防護壁が設けられていればその構成は特に限定されるものではない。例えば、防護壁以外の部分に壁装材を導入する開口を設けることが好ましい。
【００２５】
【実施例】
以下に、本発明の一実施例の壁紙裁断装置を説明する。図１は本実施例の壁紙裁断装置を装着した壁紙糊付機の全体的構成を説明する概略側面図である。図２は図１の壁紙裁断装置の側板を外してクロス裁断状態を示した概略斜視図である。図３は図１の壁紙裁断装置及び壁紙糊付機の側方透視図である。図４は図１の壁紙裁断装置のハウジングの説明図であり、ａ図は平面図、ｂ図は側方断面図である。図５は図１の壁紙裁断装置の回転刃ユニットの平面図である。図６は図１の壁紙裁断装置の回転刃ユニットを分解した状態を示す説明図である。
【００２６】
図１，図２及び図３に示す通り、脚部(1) に支えられた台座(2) 上に糊付機本体(11)が載置されるものである。糊付機本体(11)は、糊を収容する糊桶(14)が設置される下部構体(12)と、該下部構体(12)に対して開閉可能に設置された上部構体(13)とから主に構成される。クロスＣは、脚部(1) に横架された支持軸(3) に支持された原反ロールＲから帯状に搬送され、途中でテンションバー(4) に当接しつつ、壁紙裁断装置(30)を経て、糊付機本体(11)に至る。
【００２７】
糊付機本体(11)の下部構体(12)内には、クロスＣを糊付機本体(11)内に後部側から取り込むためのピンチロールを構成する送り出しロール(16)と、糊桶(14)内の糊をクロス裏面に転写塗布する糊付けロール(18)と、該糊付けロール(18)に接して糊量を調節するドクターロール(17)と、クロスＣに適度な張力を与えて前部方向へ送り出す均しロール(19)とが互いにギアを介して連動可能にかつ所定間隔を持って平行に配列されるように糊桶(14)の側板もしくはこれと平行な軸受板に軸支されている。
【００２８】
一方、上部構体(13)内には、送り出しロール(16)と対になってピンチロールを構成すると共に検尺機能を備えた上側ピンチロール(20)と、下部構体(12)内に配列されているロールとギアを介して連動されクロスＣに糊付機本体前部方向への送り出し張力を付与するためのドライブロール(22)と、これら上側ピンチロール(20)とドライブロール(22)との間でクロスＣを上から押さえる押さえステー(21)とが、互いに所定間隔で平行に配列されるように、それぞれ上部構体(13)の本体両側軸受フレームに軸支されている。
【００２９】
さらに、糊付機本体(11)では、下部構体(12)の送り出しロール(16)が、着脱可能に且つ回動可能に糊桶(14)に支持されているヒンジ(15)を介して軸支されると同時に駆動源としての電動モータ（付図示）の回転軸と連結されており、ギアを介して連動されている他のロールに電動モータによる回転運動を伝達するものである。
【００３０】
また、糊付機本体(11)の後部に着脱可能に装着される壁紙裁断装置(30)は、係止部を備えた裁断装置本体フレーム(35)と、このフレーム(35)の任意の位置で固定される一体化されたモータユニット(40)及び回転刃ユニット(32)とからなる。
【００３１】
本実施例の回転刃ユニット(32)は、図４、図５及び図６に示すように、ハウジング(31)内に、回転刃(33)と、回転刃(33)を軸支するシャフト(36)と、回転刃(33)をシャフト(36)に固定するボス(37)とが備わっている。
【００３２】
ハウジング(31)は、ユニット(32)の外殻を形成するものであり、図３に示すように、その側面にはシャフト(36)を固定するためのブッシュ(38)と、モータユニット(40)を固定するための孔部(39)とが設けられている。
【００３３】
回転刃(33)は、薄円板形状の両刃ディスクとすることが好ましく、下方から壁装材の裏面に押しつけられて後述する駆動モータの回転駆動力によってクロスＣの側縁部を裁断するようになっている。
【００３４】
ボス(37)は円筒形状であり、その内壁には雌ねじ部(41)が設けられている。シャフト(36)には、ボス(37)の雌ねじ部(41)と締着される雄ねじ部(42)が設けられており、シャフト(36)端部には駆動モータの回転軸(43)と連結される連結部(44)が設けられている。
【００３５】
ハウジング(31)内に回転刃(33)を収納するためには、まず、シャフト(36)に回転刃(33)、ボス(37)を挿通し、ボス(37)の雌ねじ部(41)とシャフト(36)の雄ねじ部(42)とを締着する。これにより回転刃(33)がボス(37)によってシャフト(36)に固定される。この状態で、シャフト(36)を更にブッシュ(38)に挿通し、回転刃(33)を固定したシャフト(36)をブッシュ(38)ごとハウジング(31)の芯孔(45)内に嵌める。そして、ハウジング(31)外壁からビス(46)をシャフト(36)端面（連結部(44)のある端面と反対側の端面）に締着する。これにより回転刃ユニット(32)内に回転刃(33)が収納されるようになっている。
【００３６】
シャフト(36)の連結部(44)は、本発明の継手手段を構成するものであり、駆動モータの回転軸(43)と相対回転不能に嵌合する孔部(47)が設けられている。本実施例では、孔部(47)は単純な円形断面形状のソケット穴であり、モータ回転軸(43)を差し込んでから止めネジ(48)によって相対回転不能にしているが、モータの回転軸と孔部(47)とを共に嵌合し合う非円形断面形状のものとすれば止めネジ(48)は不要となる。
【００３７】
また、図４，図５及び図６に示すように、ハウジング(31)の一部は、回転刃(33)の刃部の周囲を囲む防護壁(34)を形成している。このため、本実施形態の壁紙裁断装置は、ユニット(32)外部から回転刃(33)に接触できない構造となっており、作業の安全性が図れるようになっている。
【００３８】
また、ハウジング(31)には、クロスＣを回転刃(33)に通すためのスリット(49)が３カ所に設けられている。即ち、外部のクロスＣをスリット(49)から導入し、側縁部を回転刃(33)によって裁断した後、裁断後のクロスＣ本体はスリット(50)からハウジング(31)外部へ導出され、裁断後のクロス側縁部はスリット(51)から糊付機本体外部へ導出されるようになっている。
【００３９】
更に、ハウジング(31)には、回転刃(33)によって裁断されたクロスＣの側縁部がスリット(51)へ至る間にクロスＣ本体の搬送方向外方へ彎曲したガイド板(52)が設けられている。このガイド板(52)によって、裁断されたクロスＣの側縁部は、スリット(51)へ至る間にクロスＣ本体の搬送方向外方へ誘導されて、糊付機本体外部へ排出されるようになっている。これにより、裁断された壁装材の側縁部が糊付機本体内部へ導入される壁装材本体と絡まって糊付機本体内部へ導入されることが回避される。
【００４０】
モータユニット(40)は、本発明の回転駆動手段を構成するものであり、駆動モータを備えている。駆動モータの回転軸(43)はシャフト(36)の連結部(44)と連結されるようになっており、連結された状態で、モータの駆動によりその回転運動が回転軸(43)、シャフト(36)を介して回転刃(33)へ伝達され、所定回転速度で回転刃(33)が回転駆動される。また、モータユニット(40)の側面の非回転部分には、ユニット(32)の切欠部(53)に夫々嵌合する突起が突設されている。
【００４１】
回転刃ユニット(32)は、モータユニット(40)に着脱可能に構成されている。回転刃ユニット(32)をモータユニット(40)に取り付ける場合には、次のように行う。まず、連結部(44)側面の穴から止めネジ(48)を締着して連結部(44)と駆動モータ回転軸(43)とを固定する。また、連結部(44)の孔部(47)に駆動モータの回転軸(43)を嵌め、更にモータユニット(40)の側面に突設された突起と、ハウジング(31)の切欠を嵌め合わせる。これにより、回転刃ユニット(32)はモータユニット(40)に取り付けられる。
【００４２】
回転刃(33)を交換する場合には、回転刃ユニット(32)ごとモータユニット(40)から取り外して新たなユニット(32)を前述と同様に取り付ければよい。このように、回転刃(33)の交換作業はユニット(32)ごと行えばよいため安全性に優れ、かつ簡易なものとなっている。
【００４３】
【発明の効果】
本発明は以上説明した通り、安全性に優れ、壁紙糊付機の誤動作、破損を防止することができる壁紙裁断装置を得る。更には、回転刃の交換作業が簡易である壁紙裁断装置を得るという効果がある。
【図面の簡単な説明】
【図１】本実施例の壁紙裁断装置を装着した壁紙糊付機の全体的構成を説明する概略側面図である。
【図２】図１の壁紙裁断装置の側板を外してクロス裁断状態を示した概略斜視図である。
【図３】図１の壁紙裁断装置及び壁紙糊付機の側方透視図である。
【図４】図１の壁紙裁断装置のハウジングの説明図であり、ａ図は平面図、ｂ図は側方断面図である。
【図５】図１の壁紙裁断装置の回転刃ユニットの平面図である。
【図６】図１の壁紙裁断装置の回転刃ユニットを分解した状態を示す説明図である。
【符号の説明】
Ｃ…クロス、
Ｒ…原反ロール、
(1) …脚部、
(2) …台座、
(3) …支持軸、
(4) …テンションバー、
(11)…糊付機本体、
(12)…下部構体、
(13)…上部構体、
(14)…糊桶、
(15)…ヒンジ、
(16)…送り出しロール、
(17)…ドクターロール、
(18)…糊付けロール、
(20)…上側ピンチロール、
(21)…押さえステー、
(22)…ドライブロール、
(30)…壁紙裁断装置、
(31)…ハウジング、
(32)…回転刃ユニット、
(33)…回転刃、
(34)…防護壁、
(35)…裁断装置本体フレーム、
(36)…シャフト、
(37)…ボス、
(38)…ブッシュ、
(39)…孔部、
(40)…モータユニット、
(41)…雌ねじ部、
(42)…雄ねじ部、
(43)…回転軸、
(44)…連結部、
(45)…芯孔、
(46)…ビス、
(47)…孔部、
(48)…止めネジ、
(49)…スリット、
(50)…スリット、
(51)…スリット、
(52)…ガイド板、
(53)…切欠部、
【図１】
0004721484.tif 000002
【図２】
0004721484.tif 000003
【図３】
0004721484.tif 000004
【図４】
0004721484.tif 000005
【図５】
0004721484.tif 000006
【図６】
0004721484.tif 000007